(57)【要約】【課題】改良されたグリスカプラを提供する。【解決手段】外側スリーブと、内側スリーブと、連結体と、カラーと、カラーばねと、グリスニップルと結合及び結合解除するジョーと、ノズルと、ノズルばねと、カラーボール溝と、内側ボール溝と、スリーブ係止ボールと、ノズルボール溝と、ノズル係止ボールと、を備えるグリスカプラである。【選択図】図３
2020525715.tif 000002
【特許請求の範囲】
【請求項１】
内側スリーブ上を軸方向に移動可能な外側スリーブであって、前記内側スリーブ及び前記外側スリーブは各々がインレット端とアウトレット端とを有する、外側スリーブと、
前記内側スリーブの前記インレット端に連結された連結体と、
前記外側スリーブ上を前記連結体と前記外側スリーブの前記インレット端との間で軸方向に移動可能なカラーと、
前記内側スリーブの前記インレット端上で前記カラーと前記連結体との間にある、前記カラーを前記外側スリーブの前記アウトレット端の方へ軸方向で付勢するためのカラーばねと、
グリスニップルと係止及び係止解除するように前記外側スリーブの前記アウトレット端内で軸方向及び径方向に移動可能なジョーと、
前記内側スリーブの前記アウトレット端内で前記ジョーと前記内側スリーブの前記アウトレット端との間で軸方向に移動可能なノズルと、
前記内側スリーブ内で前記ノズルと前記連結体との間にあるノズルばねと、
前記カラー内のカラーボール溝及び前記内側スリーブ内の対応する内側ボール溝と、
前記カラーボール溝と前記内側ボール溝との間で前記外側スリーブ内のボール穴を介して軸方向及び径方向に移動可能なスリーブ係止ボールと、
前記ノズル内のノズルボール溝と、
前記内側スリーブの前記アウトレット端内にある、前記ノズルボール溝によって定義される限定された軸方向距離の範囲内で軸方向に移動可能なノズル係止ボールと、
を備えるグリスカプラであって、
前記外側スリーブの前記アウトレット端から軸方向に遠ざかる前記カラーの第１の引き込みが、前記スリーブ係止ボールを前記カラーボール溝から前記内側ボール溝へと軸方向及び径方向に移動させて前記外側スリーブと前記内側スリーブとを互いに係止させることによって前記グリスカプラを前記グリスニップルへの結合に向けた装着前状態とし、それによって前記外側スリーブと前記ノズルとの相対的な軸方向移動が可能になって前記ジョーが係止され、
前記グリスニップルを前記外側スリーブの前記アウトレット端の内部に押し込むと、まず、前記ノズルが前記ジョーから遠ざかるように軸方向に移動して前記ジョーを係止解除するとともに前記ノズルばねを圧縮し、その後、前記ノズルが前記ノズルばねによるばね圧下で前記グリスニップルの方へ軸方向に移動し、それによって前記ジョーが再び係止されるとともに前記ノズルが前記グリスニップルに確実に結合され、
前記外側スリーブの前記アウトレット端から軸方向に遠ざかる前記カラーの第２の引き込みが、前記スリーブ係止ボールを前記内側ボール溝から前記カラーボール溝へと移動させて前記外側スリーブと前記内側スリーブとの互いの係止を解除し、それによって前記外側スリーブと前記ノズルとの相対的な軸方向移動が可能になり、それによって前記ジョーが前記グリスニップルから係止解除され、その一方で、前記ノズルと前記内側スリーブとの間の相対的な軸方向移動は、前記ノズルボール溝によって定義される前記限定された軸方向距離の範囲内での前記ノズル係止ボールの軸方向移動によって限定され、それによって前記ノズルが前記グリスニップルから確実に結合解除される、グリスカプラ。
【請求項２】
前記外側スリーブの前記アウトレット端は内側に傾斜したリップを有しており、浮動構成で配置された前記ジョーは、前記グリスニップルと係止及び係止解除するように、前記内側に傾斜したリップに対して軸方向及び径方向に移動可能である、請求項１のカプラ。
【請求項３】
前記ジョーを前記外側スリーブの前記アウトレット端の前記内側に傾斜したリップの方に軸方向で移動させるために、前記ノズルからノズルフランジが径方向に延びていてもよい、請求項２のカプラ。
【請求項４】
前記カラーからは、前記カラーを前記外側スリーブの前記アウトレット端から軸方向で遠ざかるように軸方向で移動させるために、一対の指掛けが径方向に延びている、請求項１のカプラ。
【請求項５】
前記連結体には、ボール逆止弁が設けられている、請求項１のカプラ。
【請求項６】
前記ボール逆止弁は、調整可能なボール逆止弁である、請求項５のカプラ。
【請求項７】
請求項１のグリスカプラを用いてグリスガンからの加圧されたグリスにグリスニップルを確実に結合及び結合解除することを備える、方法。
【発明の詳細な説明】
【技術分野】
【０００１】
[0001]  本発明はグリスカプラに関する。
【背景技術】
【０００２】
[0002]  グリスカプラは、グリスニップルをグリスガンからの加圧されたグリスに連結するものである。
【０００３】
[0003]  従来のカプラにはいくつかの欠点がある。特に、高いグリス圧下では、カプラとニップルとを確実に結合及び結合解除することが困難である。これは顕著な物理的尽力を必要とする上に、部品の摩滅又は故障さえもたらす。確実な結合及び結合解除ができないと、グリスの漏洩にもつながり、あるいは、高圧のグリスが操作者に逆噴射しさえする。さらに、カプラの内部における背圧の蓄積は油圧ロックの形成につながりかねず、これはカプラとニップルとの確実な結合解除を妨げる。従来のクイックリリースカプラのほとんどは嵩高で、狭い給脂箇所へのアクセスが問題となっている。
【発明の概要】
【発明が解決しようとする課題】
【０００４】
[0004]  このような状況において、改良されたグリスカプラの必要性がある。
【課題を解決するための手段】
【０００５】
[0005]  本発明によれば、
内側スリーブ上を軸方向に移動可能な外側スリーブであって、内側スリーブ及び外側スリーブは各々がインレット端とアウトレット端とを有する、外側スリーブと、
内側スリーブのインレット端に連結された連結体と、
外側スリーブ上を連結体と外側スリーブのインレット端との間で軸方向に移動可能なカラーと、
内側スリーブのインレット端上でカラーと連結体との間にある、カラーを外側スリーブのアウトレット端の方へ軸方向で付勢するためのカラーばねと、
グリスニップルと係止及び係止解除するように外側スリーブのアウトレット端内で軸方向及び径方向に移動可能なジョーと、
外側スリーブのアウトレット端内でジョーと内側スリーブのアウトレット端との間で軸方向に移動可能なノズルと、
内側スリーブ内でノズルと連結体との間にあるノズルばねと、
カラー内のカラーボール溝及び内側スリーブ内の対応する内側ボール溝と、
カラーボール溝と内側ボール溝との間で外側スリーブ内のボール穴を介して軸方向及び径方向に移動可能なスリーブ係止ボールと、
ノズル内のノズルボール溝と、
内側スリーブのアウトレット端内にある、ノズルボール溝によって定義される限定された軸方向距離の範囲内で軸方向に移動可能なノズル係止ボールと、
を備えるグリスカプラが提供され、
外側スリーブのアウトレット端から軸方向に遠ざかるカラーの第１の引き込みが、スリーブ係止ボールをカラーボール溝から内側ボール溝へと軸方向及び径方向に移動させて外側スリーブと内側スリーブとを互いに係止させることによってグリスカプラをグリスニップルへの結合に向けた装着前状態（pre-arms）とし、それによって外側スリーブとノズルとの相対的な軸方向移動が可能になってジョーが係止され、
グリスニップルを外側スリーブのアウトレット端の内部に押し込むと、まず、ノズルがジョーから遠ざかるように軸方向に移動してジョーを係止解除するとともにノズルばねを圧縮し、その後、ノズルがノズルばねによるばね圧下でグリスニップルの方へ軸方向に移動し、それによってジョーが再び係止されるとともにノズルがグリスニップルに確実に結合され、
外側スリーブのアウトレット端から軸方向に遠ざかるカラーの第２の引き込みが、スリーブ係止ボールを内側ボール溝からカラーボール溝へと移動させて外側スリーブと内側スリーブとの互いの係止を解除し、それによって外側スリーブとノズルとの相対的な軸方向移動が可能になり、それによってジョーがグリスニップルから係止解除され、その一方で、ノズルと内側スリーブとの間の相対的な軸方向移動は、ノズルボール溝によって定義される限定された軸方向距離の範囲内でのノズル係止ボールの軸方向移動によって限定され、それによってノズルがグリスニップルから確実に結合解除される。
【０００６】
[0006]  外側スリーブのアウトレット端は内側に傾斜したリップを有していてもよく、ジョーは、グリスニップルと係止及び係止解除するように、その内側に傾斜したリップに対して軸方向及び径方向に移動可能である。
【０００７】
[0007]  ジョーを外側スリーブのアウトレット端の内側に傾斜したリップの方に軸方向で移動させるために、ノズルからノズルフランジが径方向に延びていてもよい。
【０００８】
[0008]  カラーからは、カラーを外側スリーブのアウトレット端から軸方向で遠ざかるように軸方向で移動させるために、一対の指掛けが径方向に延びていてもよい。
【０００９】
[0009]  連結体には、ボール逆止弁が設けられてもよい。
【００１０】
[0010]  ボール逆止弁は、調整可能なボール逆止弁であってもよい。
【００１１】
[0011]  本発明は、上述のグリスカプラを用いてグリスガンからの加圧されたグリスにグリスニップルを確実に結合及び結合解除することを備える方法も提供する。
【図面の簡単な説明】
【００１２】
[0012]  次に、本発明の実施形態を、添付の図面を参照して、例としてのみ説明する。
【００１３】
【図１】本発明の一実施形態によるグリスカプラの斜視前面図である。
【図２】本発明の一実施形態によるグリスカプラの斜視背面図である。
【図３】結合解除状態におけるグリスカプラの断面図である。
【図４】グリスニップルとの結合に向けたグリスカプラの装着前状態を示す連続断面図である。
【図５】グリスニップルとの結合に向けたグリスカプラの装着前状態を示す連続断面図である。
【図６】グリスニップルとの結合に向けたグリスカプラの装着前状態を示す連続断面図である。
【図７】グリスカプラのグリスニップルへの確実な結合を示す連続断面図である。
【図８】グリスカプラのグリスニップルへの確実な結合を示す連続断面図である。
【図９】グリスカプラのグリスニップルへの確実な結合を示す連続断面図である。
【図１０】グリスカプラのグリスニップルからの確実な結合解除を示す連続断面図である。
【図１１】グリスカプラのグリスニップルからの確実な結合解除を示す連続断面図である。
【図１２】グリスカプラのグリスニップルからの確実な結合解除を示す連続断面図である。
【図１３】グリスカプラのグリスニップルからの確実な結合解除を示す連続断面図である。
【発明を実施するための形態】
【００１４】
[0013]  図１及び図２を参照すると、本発明の一実施形態によるグリスカプラ１０は通常、外側スリーブ１２と、作動カラー１４と、連結体１６と、を備え得る。カラー１４からは、カラー１４を外側スリーブ１２のアウトレット端から軸方向で遠ざかるように軸方向で移動させるために、一対の指掛け１８が径方向に延びていてもよい。連結体１６は、グリスガンホース（図示しない）に螺着可能であってもよい。外側スリーブ１２のアウトレット端には、グリスニップル、例えばザークニップル（図示しない）と係止及び係止解除するための締め付けジョー２０が設けられ得る。指掛け１８は適当なプラスチック材料の成形であってもよく、その一方で残りの部品は、別途明記しない限り、適当な金属又は金属合金から形成されてもよい。
【００１５】
[0014]  図３を参照すると、外側スリーブ１２は内側スリーブ２２上を軸方向で移動可能であってもよい。外側スリーブ１２及び内側スリーブ２２は、各々がインレット端とアウトレット端とを有し得る。連結体１６は、内側スリーブ２２のインレット端に螺合されてもよい。カラー１４は、外側スリーブ１２上を、連結体１６と外側スリーブ１２のインレット端との間で軸方向に移動可能であってもよい。内側スリーブ２２のインレット端上には、カラー１４と連結体１６との間に、カラー１４を外側スリーブ２２のアウトレット端の方へ軸方向で付勢するためのカラーばね２４が設けられてもよい。
【００１６】
[0015]  ジョー２０は、グリスニップル２６と係止及び係止解除するように、外側スリーブ１２のアウトレット端において、軸方向及び径方向に移動可能であってもよい。外側スリーブ１２のアウトレット端は内側に傾斜したリップ２８を有していてもよく、ジョー２０は、グリスニップル２６と係止及び係止解除するように、その内側に傾斜したリップ２８に対して軸方向及び径方向に移動可能であってもよい。ジョー２０は、周方向で互いにおよそ１２０°離隔した３つのジョー２０を、グリスニップル２６を把持するように、浮動構成で備えていてもよい。この構成は、有利なことには最大把持面を提供するとともに、グリスニップル２６に対してより低くより均一な接触応力を与えて、グリスニップルの損傷を回避する。周方向で互いにおよそ９０°離隔した４つのジョーと比べ、３つの浮動構成のジョー２０は、より多目的に使用でき、グリスニップル２６の規格化された形状、寸法、及び公差（例えば、ＳＡＥ  Ｊ５３４、ＢＳ１４８６及びＤＩＮ７１４１２準拠規格）により良好に適合する。グリスニップル２６は、コスト的な理由からもはや機械製造されておらず、したがってかつてのように寸法的に正確且つ均質ではないため、これは有利である。
【００１７】
[0016]  外側スリーブ１２のアウトレット端では、ジョー２０と内側スリーブ２２のアウトレット端との間で、ノズル３０が軸方向に移動可能であってもよい。連結体１６、内側スリーブ２２、外側スリーブ１２、ノズル３０は、グリスガンホースからグリスニップル２６に至る加圧されたグリスの流路を集合的に定義する。内側スリーブ２２内には、ノズル３０と連結体１６との間に、ノズルばね３２が設けられてもよい。ノズル３０にはゴムノズルシール３４が設けられてもよい。ジョー２０を外側スリーブ１２のアウトレット端の内側に傾斜したリップ２８の方に軸方向で移動させるために、ノズル３０からノズルフランジ３６が径方向に延びていてもよい。
【００１８】
[0017]  カラー１４にはカラーボール溝３８が形成されていてもよく、内側スリーブ２２には対応する内側ボール溝４０が形成されていてもよい。カラーボール溝３８と内側ボール溝４０との間では、外側スリーブ１２に形成されたボール穴４４を介して、スリーブ係止ボール４２が軸方向及び径方向に移動可能であってもよい。
【００１９】
[0018]  ノズル３０には、限定的な軸方向距離を定義するノズルボール溝４６が形成されていてもよい。内側スリーブ２２のアウトレット端には、ノズル係止ボール４８が、そのノズルボール溝４６によって定義される限定的な軸方向距離の範囲内で軸方向に移動可能なように提供されてもよい。ノズル係止ボール４８は、保持リング５０とスナップリング（又はサークリップ）５２とによって軸方向に保持され得る。ノズルの軸方向内方の内側スリーブ２２上のＯリング溝に、Ｏリング５４が提供されてもよい。
【００２０】
[0019]  連結体１６にはボール逆止弁５６が設けられてもよい。ボール逆止弁５６は、弁ばね５８と、弁ボール６０と、分離後にグリスガンホースからの加圧されたグリス流の選択的に調整可能な限定を設ける調整可能な弁座リング６２と、を備え得る。
【００２１】
[0020]  図４を参照すると、外側スリーブ１２のアウトレット端から軸方向に遠ざかるカラー１４の第１の引き込みが、スリーブ係止ボール４２をカラーボール溝３８から内側ボール溝４０へと軸方向及び径方向に移動させて外側スリーブ１２と内側スリーブ２２とを互いに係止させることによって、グリスカプラ１０をグリスニップル２６への結合に向けた装着前状態とし、それによって外側スリーブ１２とノズル３０との相対的な軸方向移動が可能になり、ジョー２０が係止される。図５に図示されるように、この第１の引き込みの後、カラー１４は、カラーばね２４によって、外側スリーブ１２のアウトレット端の方に戻るように軸方向に付勢される。その結果、グリスカラー１０は装着前状態のままで、図６に図示されるように、グリスニップル２６への確実な結合の準備ができた状態となる。
【００２２】
[0021]  図７を参照すると、グリスニップル２６を外側スリーブ１２のアウトレット端の内部に押し込むことにより、まず、ノズル３０がジョー２０から遠ざかるように軸方向に移動して、ジョー２０を係止解除するとともにノズルばね３２を圧縮する。図８に図示されるように、ノズル３０はその後、ノズルばね３２によるばね圧下でグリスニップル２６の方へ軸方向に移動され、それによってジョー２０が再び係止されるとともにノズル３０がグリスニップル２６に確実に結合される。その結果、グリスカプラ１０は、図９に図示されるように、グリスニップルと確実に結合された状態となり、加圧されたグリスがグリスガンホースからグリスニップル２６に供給されることが可能になる。
【００２３】
[0022]  図１０から図１３を参照すると、外側スリーブ１２のアウトレット端から軸方向に遠ざかるカラー１４の第２の引き込みが、スリーブ係止ボール４２を内側ボール溝４０からカラーボール溝３８へと戻すように移動させて外側スリーブ１２と内側スリーブ２２とを互いに係止解除し、それによって外側スリーブ１２とノズル３０との相対的な軸方向移動が可能になって、ジョー２０がグリスニップル２６から係止解除される。その一方で、ノズル３０と内側スリーブ２２との間の相対的な軸方向移動は、ノズルボール溝４６によって定義される限定された軸方向距離の範囲内で軸方向に移動するノズル係止ボール４８によって限定され、ノズル３０をグリスニップル２６から確実に結合解除する。結合解除時にノズルボール溝４６とノズル係止ボール４８とによって提供される確実なノズル保持は、グリスカプラ１０内部における背圧の蓄積によるグリスニップル２６とノズル３０との間の油圧ロックを克服し得る。
【００２４】
[0023]  本発明の実施形態は、グリスガンからの加圧されたグリスにグリスニップルを確実に結合及び結合解除するのに有用なグリスカプラを提供すると同時に、グリスの漏洩又は逆噴射を回避又は最小化する。
【００２５】
[0024]  本明細書においては、「備えている」という語は「含むが限定されない」ことを意味し、「備える」という語はこれに対応する意味を有する。
【００２６】
[0025]  上記の実施形態は例としてのみ記載されたものであって、以下の特許請求の範囲内で変形することが可能である。
【図１】
2020525715.tif 000003
【図２】
2020525715.tif 000004
【図３】
2020525715.tif 000005
【図４】
2020525715.tif 000006
【図５】
2020525715.tif 000007
【図６】
2020525715.tif 000008
【図７】
2020525715.tif 000009
【図８】
2020525715.tif 000010
【図９】
2020525715.tif 000011
【図１０】
2020525715.tif 000012
【図１１】
2020525715.tif 000013
【図１２】
2020525715.tif 000014
【図１３】
2020525715.tif 000015
【国際調査報告】
2020525715.tif 000016
2020525715.tif 000017
2020525715.tif 000018